(57)【要約】【課題】パネル下部から吹出し風が吸引されるのを防止し、熱交換効率の優れた空気調和機を提供する。【解決手段】空気調和機本体（図示せず）の前面に配され、駆動部（図示せず）により前後に移動して、室内の空気を取り入れる吸引口（図示せず）を開閉するパネル７と、前記パネル７の下方に位置し熱交換された空気を吹き出す吹出し口（図示せず）と、前記駆動部で駆動されると共に、少なくとも、前記パネル７が前方に移動したときに、前記パネル７の下端と前記空気調和機本体との間に形成される開口（図示せず）を塞ぐ羽根８を設けたもので、羽根８に単独の駆動部を設けることなく、熱交換された空気が吹出し口から出た直後に、再びパネル７下部から吸引されるのを防ぐことができるため、熱交換効率を向上させることができる。【選択図】図１
2008196727.tif 000002
【特許請求の範囲】
【請求項１】
空気調和機本体の前面に配され、駆動部により前後に移動して、室内の空気を取り入れる吸引口を開閉するパネルと、前記パネルの下方に位置し熱交換された空気を吹き出す吹出し口と、前記駆動部で駆動されると共に、少なくとも、前記パネルが前方に移動したときに、前記パネルの下端と前記空気調和機本体との間に形成される開口を塞ぐ羽根を設けたことを特徴とする空気調和機。
【請求項２】
第１のアームと第２のアームとで構成され駆動部とパネルを連結する第１のリンク機構と、第３のアームと略中央部が空気調和機本体に回動自在に軸支された第４のアームとで構成された第２のリンク機構を有し、前記第１のアームと前記第２のアームとは、各々の略中央部で互いに回動自在に連結され、前記第１のアームの一端は、前記駆動部に、他端は、前記パネルにそれぞれ回動自在に連結され、前記第２のアームの一端は、前記パネルに、他端は、前記第３のアームの一端にそれぞれ回動自在に連結され、前記第３のアームの他端は、前記第４のアームの一端に回動自在に連結され、前記第４のアームの他端を、羽根に当接させたことを特徴とする請求項１に記載の空気調和機。
【請求項３】
羽根を、第４のアームが当接した面の方向へ回動するように付勢する付勢手段を設けたことを特徴とする請求項１又は２に記載の空気調和機。
【請求項４】
羽根を、パネルが前方向へ移動する時は前方向に、前記パネルが後方向に移動する時は後方向に、それぞれ駆動するようにしたことを特徴とする請求項１〜３のいずれか１項に記載の空気調和機。
【請求項５】
パネル並びに羽根が前方向に駆動された時、前記パネルの下端の辺と前記羽根の上端の辺とが略一致するようにしたことを特徴とする請求項１〜４のいずれか１項に記載の空気調和機。
【請求項６】
羽根を、吹出し口よりも上方で、且つパネルの奥部に設けたことを特徴とする請求項１〜５のいずれか１項に記載の空気調和機。
【発明の詳細な説明】
【技術分野】
【０００１】
本発明は、空気調和機に関するもので、特に、室内空気を取り入れる吸引口を開閉するパネルを有する空気調和機に関するものである。
【背景技術】
【０００２】
従来のこの種の空気調和機においては、吸引口を開閉するパネルを開閉自在に支持する支持具をパネルの両端に設けて、この支持具を連動させる駆動装置を設けて、パネルを自動的に開閉するものであった（例えば、特許文献１参照）。
【特許文献１】特開平０４−０８４０４２号公報
【発明の開示】
【発明が解決しようとする課題】
【０００３】
しかしながら、上記従来の空気調和機の構成では、パネルを自動的に開けた時に、パネル全体が、空気調和機本体に平行に前方に開くので、パネルの下方に位置し、熱交換された空気を吹き出す吹出し口の向きによっては、吹出された空気がパネルの下側から、吸い込まれ熱交換の効率を悪化させるという課題があった。
【０００４】
本発明は、上記従来の課題を解決するもので、吹出し口から吹出された空気が吸い込み側に流入するのを防止し、熱交換効率が向上した空気調和機を提供することを目的とする。
【課題を解決するための手段】
【０００５】
上記従来の課題を解決するために、本発明の空気調和機は、空気調和機本体の前面に配され、駆動部により前後に移動して、室内の空気を取り入れる吸引口を開閉するパネルと、前記パネルの下方に位置し熱交換された空気を吹き出す吹出し口と、前記駆動部で駆動されると共に、少なくとも、前記パネルが前方に移動したときに、前記パネルの下端と前記空気調和機本体との間に形成される開口を塞ぐ羽根を設けたもので、羽根に単独の駆動部を設けることなく、熱交換された空気が吹出し口から出た直後に、再びパネル下部から吸引されるのを防ぐことができるため、熱交換効率を向上させることができる。
【発明の効果】
【０００６】
本発明の空気調和機は、羽根を動作させるための専用の駆動装置を設けることなく、パネルが前方に移動したときに、パネルの下端と本体との間に形成される開口を羽根で塞ぐので、熱交換された空気が吹出し口から出た直後に、パネルの下方から吸引されることがなく、熱交換効率を向上させることができる。
【発明を実施するための最良の形態】
【０００７】
第１の発明は、空気調和機本体の前面に配され、駆動部により前後に移動して、室内の空気を取り入れる吸引口を開閉するパネルと、前記パネルの下方に位置し熱交換された空気を吹き出す吹出し口と、前記駆動部で駆動されると共に、少なくとも、前記パネルが前方に移動したときに、前記パネルの下端と前記空気調和機本体との間に形成される開口を塞ぐ羽根を設けたもので、羽根に単独の駆動部を設けることなく、熱交換された空気が吹出し口から出た直後に、再びパネル下部から吸引されるのを防ぐことができるため、熱交換効率を向上させることができる。
【０００８】
第２の発明は、特に、第１の発明の空気調和機に、第１のアームと第２のアームとで構成され駆動部とパネルを連結する第１のリンク機構と、第３のアームと略中央部が空気調
和機本体に回動自在に軸支された第４のアームとで構成された第２のリンク機構を有し、前記第１のアームと前記第２のアームとは、各々の略中央部で互いに回動自在に連結され、前記第１のアームの一端は、前記駆動部に、他端は、前記パネルにそれぞれ回動自在に連結され、前記第２のアームの一端は、前記パネルに、他端は、前記第３のアームの一端にそれぞれ回動自在に連結され、前記第３のアームの他端は、前記第４のアームの一端に回動自在に連結され、前記第４のアームの他端を、羽根に当接させたもので、簡単な構成で、パネルの前後方向の移動に連動して羽根を駆動することができると共に、熱交換された空気が吹出し口から出た直後に再びパネル下部から吸引されることを防ぐことができるため、熱交換効率を向上させることができる。
【０００９】
第３の発明は、特に、第１又は第２の発明の羽根を、第４のアームが当接した面の方向へ回動するように付勢する付勢手段を設けたもので、羽根がパネルの閉じる動作に追従するので、羽根を閉じるための駆動手段が不要となり、安価に構成することができる。
【００１０】
第４の発明は、特に、第１〜３のいずれか一つの発明の羽根を、パネルが前方向へ移動する時は前方向に、前記パネルが後方向に移動する時は後方向に、それぞれ駆動するようにしたもので、パネルが開いた時には、羽根も開いているので、熱交換された空気が吹出し口から出た直後に吸引されるのを確実に防止することができ、熱交換効率を向上させることができる。
【００１１】
第５の発明は、特に、第１〜４のいずれか一つの発明のパネル並びに羽根が前方向に駆動された時、前記パネルの下端の辺と前記羽根の上端の辺とが略一致するようにしたもので、パネルから吸引する空気の流れを円滑に保つことが可能となり、空気の熱交換効率を向上させることが可能となる。
【００１２】
第６の発明は、特に、第１〜５のいずれか一つの発明の羽根を、吹出し口よりも上方で、且つパネルの奥部に設けたもので、吹出し口から出る熱交換後の空気と熱交換する前の空気の間に羽根が設けられる形態となるため、熱交換された空気が吹出し口から出た直後に再びパネル下部から吸引されるのを確実に防ぐことができ、熱交換効率を向上させることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機のパネルと羽根が開いた状態の構成の例を示す図、図２は、同空気調和機のパネルと羽根が閉じた状態の構成の例を示す図である。
【００１５】
図１、図２において、本実施の形態における空気調和機の空気調和機本体（図示せず、以下「本体」という）の前面には、室内の空気を取り入れるための吸引口（図示せず）と、前記吸引口を開閉するパネル７が設けられ、前記吸引口の下方に、熱交換された空気を吹き出す吹出し口（図示せず）が設けられている。
【００１６】
上記吹出し口と吸引口との間には、一端が本体に設けた回動軸８ａで回動自在に軸支され、図示しない付勢手段により、内側に回動するように付勢された羽根８が配置され、この羽根８の先端は、パネル７の内方に位置している。
【００１７】
パネル７は、本体に内蔵された駆動部（図示せず）と第１のリンク機構３で連結され、この第１のリンク機構３は、各々の略中央部で互いに回動自在に連結された第１のアーム
１と第２のアーム２とで構成され、第１のアーム１の一端は、前記駆動部に連結され、他端は、前記パネル７にそれぞれ回動自在に連結され、第２のアーム２の一端は、前記パネル７に回動自在に連結され、他端は第２のリンク機構６に回動自在に連結されている。
【００１８】
第２のリンク機構６は、第３のアーム４と第４のアーム５とで構成され、第４のアーム５は、その略中央部が、本体に設けた回動軸５ａに回動自在に取り付けられ、第３のアーム４の一端は、第２のアーム２の他端と回動自在に連結され、第３のアーム４の他端は、第４のアーム５の一端に回動自在に連結され、第４のアーム５の他端は、羽根８の裏側に当接している。
【００１９】
以上のように構成された本実施の形態における空気調和機のパネルの動作は、以下の通りである。
【００２０】
空気調和機の運転を開始すると、図示しない駆動部が動作して、第１のリンク機構３がパネル７を前方に押し出して、吸引口が開き、そこから室内の空気が吸引される。
【００２１】
第１のリンク機構３の上記動作に連動して、第３のアーム４が上昇し、これに伴い、第４のアーム５が回動し、付勢手段の付勢力に抗して、羽根８を前側に回動させて開く。このとき、図１に示すように、パネル７の下端の辺と羽根８の上端の辺とが略一致するように設定されているので、パネル７の下方から空気が流入することがない。すなわち、パネル７が開いた時には、羽根８も開いた状態になるので、吹出し空気と吸引空気とを確実に分断することができ、熱交換後の吹出し空気を吹出した直後に吸込むことがなくなり、空気の熱交換効率を大幅に向上させることができる。
【００２２】
また、本実施の形態では、羽根８の開閉を、それに当接させた第４のアーム５で行なうようにしているので、羽根８を単独で動作させるための駆動装置や制御装置が不要になり、空気調和機を安価に構成することができる。
【産業上の利用可能性】
【００２３】
以上のように本発明に係る空気調和機は、羽根を動作させるための専用の駆動装置を設けることなく、熱交換された空気が、吹出し口から出た直後に吸引されることがなくなり、熱交換効率を向上させることができるもので、家庭用、業務用の各種空気調和機に広く適用できる。
【図面の簡単な説明】
【００２４】
【図１】本発明の実施の形態１における空気調和機のパネルと羽根が開いた状態の構成の例を示した図
【図２】同空気調和機のパネルと羽根が閉じた状態の構成の例を示した図
【符号の説明】
【００２５】
１  第１のアーム
２  第２のアーム
３  第１のリンク機構
４  第３のアーム
５  第４のアーム
６  第２のリンク機構
７  パネル
８  羽根
【図１】
2008196727.tif 000003
【図２】
2008196727.tif 000004